(57)【特許請求の範囲】
【請求項１】
警報装置であって、
検出部用開口が形成された第１ケースと、
前記第１ケースと係合する第２ケースと、を備え、
前記第２ケースが内部に侵入した水を外部へ排水する水抜き孔を有し、
前記第１ケースと前記第２ケースは、前記水抜き孔が開放状態で係合される第１係合位置と、前記水抜き孔が閉塞状態で係合される第２係合位置とを有し、
前記第1の係合位置で係合するとき水抜き仕様を構成し、前記第２の係合位置で係合するとき防水仕様を構成することを特徴とする警報装置。
【請求項２】
前記第１ケースが、
前記第２係合位置に対応して設けられる第１切り欠き部と、
前記第１係合位置に対応して設けられ、前記第１切り欠き部より切り欠きが長い第２切り欠き部と、を有し、
前記第１ケースと前記第２ケースの係合時に前記第２切り欠き部によって前記第１ケースに設けられた前記水抜き孔が開放状態となり、前記第１切り欠き部によって前記第１ケースに設けられた前記水抜き孔が閉塞状態となることを特徴とする請求項１に記載の警報装置。
【請求項３】
前記第１ケース及び第２ケースの一方に設けられた係合部と、
前記第１ケース及び第２ケースの他方に設けられ、前記係合部に係合される被係合部と、
を有することを特徴とする請求項１又は請求項２に記載の警報装置。
【請求項４】
前記第１ケースと前記第２ケースが係合した状態で取り付けられるベース部材を有し、
前記ベース部材が係合溝を有し、
前記第２ケースに設けられた係合部が前記ベース部材の係合溝と係合することを特徴とする請求項３に記載の警報装置。
【発明の詳細な説明】
【技術分野】
【０００１】
本発明は、警報装置に関する。
【背景技術】
【０００２】
従来、煙を検知するなどの警報装置が提案されている（特許文献１参照）。
特許文献１の警報装置では、内部に侵入した水を外部に排出させるために水抜き孔を設ける構造が開示されている。このように内部に侵入した水を外部に上手く排出することで、装置内部に設けられた基板等を保護している。
【先行技術文献】
【特許文献】
【０００３】
【特許文献１】特開２００３−２４８８７７号公報
【発明の概要】
【発明が解決しようとする課題】
【０００４】
しかしながら、上述のような警報装置においては、装置内の水抜きを要求される場合と、警報装置についての防水を要求される場合があり、水抜き構造を有する仕様と、防水構造を有する仕様を別々に製造する必要があった。
【０００５】
本発明は、上記問題点に鑑みなされたものであって、水抜きを有する仕様と防水を有する仕様を１つの筐体で実現可能な警報装置を提供することを目的とする。
【課題を解決するための手段】
【０００６】
上記課題を解決するために、（１）本発明は、警報装置であって、検出部用開口が形成された第１ケースと、前記第１ケースと係合する第２ケースと、を備え、前記第２ケースが内部に侵入した水を外部へ排水する水抜き孔を有し、前記第１ケースと前記第２ケースは、前記水抜き孔が開放状態で係合される第１係合位置と、前記水抜き孔が閉塞状態で係合される第２係合位置とを有し、  前記第1の係合位置で係合するとき水抜き仕様を構成し、前記第２の係合位置で係合するとき防水仕様を構成する。
【０００７】
（２）上記（１）において、  前記第１ケースが、前記第２係合位置に対応して設けられる第１切り欠き部と、前記第１係合位置に対応して設けられ、前記第１切り欠き部より切り欠きが長い第２切り欠き部と、を有し、前記第１ケースと前記第２ケースの係合時に前記第２切り欠き部によって前記第１ケースに設けられた前記水抜き孔が開放状態となり、前記第１切り欠き部によって前記第１ケースに設けられた前記水抜き孔が閉塞状態となる。
【０００８】
（３）上記（１）又は（２）において、前記第１ケース及び第２ケースの一方に設けられた係合部と、前記第１ケース及び第２ケースの他方に設けられ、前記係合部に係合される被係合部とを有する。
（４）上記（３）において、前記第１ケースと前記第２ケースが係合した状態で取り付けられるベース部材を有し、前記ベース部材が係合溝を有し、前記第２ケースに設けられた係合部が前記ベース部材の係合溝と係合する。
【発明の効果】
【０００９】
本発明によれば、水抜きを有する仕様と防水を有する仕様を１つの筐体で実現可能な警報装置を提供することができる。
【図面の簡単な説明】
【００１０】
【図１】本発明の実施形態に係る警報装置の分解斜視図及び斜視図である。
【図２】（ａ）は水抜き孔が開放状態でケースとカバーが係合される第１係合位置での斜視図、（ｂ）は（ａ）の組み立て図、（ｃ）は水抜き孔が閉塞状態でケースとカバーが係合される第２係合位置での斜視図、（ｄ）は（ｂ）の組み立て図である。
【図３】（ａ）は本発明の実施形態に係る警報装置のケースの平面図、（ｂ）は正面図、（ｃ）は背面図、（ｄ）は左側面図、（ｅ）は右側面図である。
【図４】（ａ）は本発明の実施形態に係る警報装置のカバーの平面図、（ｂ）は正面図、（ｃ）は背面図、（ｄ）は左側面図、（ｅ）は右側面図である。
【図５】（ａ）は本発明の実施形態に係る警報装置ケースとカバーを係合させて水抜き孔が開放状態としたときの平面図、（ｂ）は正面図、（ｃ）は背面図、（ｄ）は左側面図、（ｅ）は右側面図である。
【図６】図５（ａ）のＡ−Ａ断面図である。
【図７】（ａ）は本発明の実施形態に係る警報装置のケースとカバーを係合させて水抜き孔を閉塞状態としたときの平面図、（ｂ）は正面図、（ｃ）は背面図、（ｄ）は左側面図、（ｅ）は右側面図である。
【図８】図７（ａ）のＢ−Ｂ断面図である。
【発明を実施するための形態】
【００１１】
以下、添付図面を参照して、本発明を実施するための形態（以下、実施形態）について詳細に説明する。なお、実施形態の説明の全体を通して同じ要素には同じ番号を付している。
【００１２】
図１は、本発明の実施形態に係る警報装置の斜視図であって、（ａ）は、本発明の実施形態に係る警報装置の水抜き孔が閉塞状態で係合される第２係合位置での分解斜視図、（ｂ）は本発明の実施形態に係る警報装置の水抜き孔が開放状態で係合される第１係合位置での分解斜視図、（ｃ）は本発明の実施形態に係る警報装置の組み立て状態の斜視図である。
【００１３】
図２（ａ）は水抜き孔が開放状態でケースとカバーが係合される第１係合位置での斜視図、（ｂ）は（ａ）の組み立て図、（ｃ）は水抜き孔が閉塞状態でケースとカバーが係合される第２係合位置での斜視図、（ｄ）は（ｂ）の組み立て図である。図２（ａ）（ｃ）では視認しやすいよう基板４２を外して示している。
【００１４】
図１及び図２に示すように、警報装置１は、煙等を検知するものであって、ケース１０、カバー２０及びベース部材３０を有する。ケース１０は煙を検知するセンサが搭載された基板４２を収容するものであって、レンズ用開口（検出部用開口）１３が形成されており、開口１３にレンズ４１が装着される。カバー２０はケース１０と係合するものであって、カバー２０には内部に侵入した水を外部へ排水するための水抜き孔２３ａが設けられている。また、カバー２０には水抜き孔２３ａに対応する位置に突起２１ａが設けられている。
【００１５】
ケース１０にはこの突起２１ａに対応させて第１切り欠き部１１ｂ及び第２切り欠き部１１ａが設けられている。第１切り欠き部１１ｂは第２係合位置に対応して設けられ、第２切り欠き部１１ａは第１係合位置に対応して設けられている。第２切り欠き部１１ａは、第１切り欠き部１１ｂよりも切り欠きが長く形成されている。第１切り欠き部１１ｂの周辺構造によってケース１０とカバー２０の係合時に水抜き孔２３ａが閉塞状態となり、第２切り欠き部１１ａによってカバー２０に設けられた水抜き孔２３が外部に露出されて開放状態となる。ケース１０とカバー２０の位置決めはケース１０に設けられた切り欠き部１２ａ及び１２ｂと、カバー２０に設けられた突起２２ａ〜２２ｄによって行われている。ケース１０とカバー２０は基板４２を介してネジ固定される。
【００１６】
図１（ａ）に示すように、警報装置１に防水構造を持たせたい場合には、切り欠き部１２ｂの上側の周壁で水抜き孔２３ａを閉塞させた位置でケース１０とカバー２０を係合させる。図１（ｂ）に示すように、警報装置１に水抜き構造を持たせたい場合には、水抜き孔２３ａの位置を図１（ａ）のカバー２０の位置に対して、９０°時計回りに回転させた位置でケース１０とカバー２０を係合させることにより、水抜き孔２３ａは第２切り欠き部１１ａによって開放状態となる。
【００１７】
ベース部材３０には内部に端子台等が設けられており、カバー２０の突起２２ａ〜２２ｄに対応させて係合溝３１が形成されている。
ケース１０とカバー２０を係合させた状態でカバー２０の突起２２ａ〜２２ｄをベース部材３０の係合溝３１に係合させて回転させることにより、カバー２０がベース部材３０に装着される。ベース部材３０の紙面反対側に設けられた取付構造（不図示）を天井等に取り付けることにより、警報装置１を天井等に取り付けることができる。
【００１８】
図３（ａ）は、本発明の実施形態に係る警報装置のケースの平面図、（ｂ）は正面図、（ｃ）は背面図、（ｄ）は左側面図、（ｅ）は右側面図である。
図３に示すように、ケース１０は円形状の基部１０ａと、この基部１０ａの中心付近にはレンズ４１が装着されるレンズ用の開口１３が設けられている。ケース１０は基部１０ａの外周に沿って延びる周壁１５が形成され、概略カップ形状を有する。基部１０ａには基板４２に固定するためのネジ孔１６が設けられている。周壁１５には３種類の切り欠きとして、第１切り欠き部１１ｂ、第２切欠き部１１ａ、切り欠き部１２ａ〜１２ｄが設けられている。
【００１９】
図４（ａ）は、本発明の実施形態に係る警報装置のカバーの平面図、（ｂ）は正面図、（ｃ）は背面図、（ｄ）は左側面図、（ｅ）は右側面図である。図４に示すように、カバー２０は円形状の基部２０ａと、この基部２０ａの外周に沿ってケース１０との装着方向に延びる周壁２７を有する。基部２０ａの周壁２７が形成されている側とは反対側には外部から内部に入った水を受ける皿部２４が形成されている。皿部２４で溜まった水は、排水溝２５ａ、２５ｂを通って外部へ放出される。排水溝２５ａ及び２５ｂの先端には水抜き孔２３ａが形成されている。
【００２０】
カバー２０には水抜き孔２３ａの延長上に突起２１ａが設けられており、この突起２１ａは、ケース１０の第２切り欠き部１１ａ及び第１切り欠き部１１ｂに係合される。カバー２０の突起２１ａがケース１０の第２切り欠き部１１ａと係合される場合、水抜き孔２３ａが開放状態となり、カバー２０の突起２１ａが第１切り欠き部１１ｂと係合される場合は、水抜き孔２３ａが閉塞状態となる。また、カバー２０には、９０°の間隔でケース１０の切り欠き部１２ａ〜１２ｄと係合する突起２２ａ〜２２ｄが設けられている。
【００２１】
図５は、図２（ｂ）を紙面反対側から見た図であって、（ａ）は、本発明の実施形態に係る警報装置のケースとカバーを係合させて水抜き孔が開放されている状態の平面図、（ｂ）は正面図、（ｃ）は背面図、（ｄ）は左側面図、（ｅ）は右側面図である。図６は、図５（ａ）のＡ−Ａ断面図である。
【００２２】
図５及び図６に示すように、カバー２０の突起２１ａをケース１０の第２切り欠き部１１ａの位置に係合させると、第２切り欠き部１１ａは、水抜き孔２３ａの位置まで切りかかれているため、水抜き孔２３ａが外部へ露出する状態となる。これにより、カバー２０の皿部２４に溜まった水は、排水溝２５ａ及び２５ｂを通り、水抜き孔２３ａを介して外部へ排水される。水抜き孔２３ａが外部に露出しているため、外部から水が浸入する可能性がある。
【００２３】
図７は、図２（ｄ）を紙面反対側から見た図であって、（ａ）は、本発明の実施形態に係る警報装置のケースとカバーを係合させて水抜き孔を閉塞状態としたときの平面図、（ｂ）は正面図、（ｃ）は背面図、（ｄ）は左側面図、（ｅ）は右側面図である。図８は、図７（ａ）のＢ−Ｂ断面図である。
【００２４】
図７及び図８に示すように、カバー２０の突起２１ａをケース１０の第１切り欠き１１ｂの位置に係合させると、第１切り欠き部１１ｂは、水抜き孔２３ａの位置まで切りかかれていないため、水抜き孔２３ａは、周壁２７によって外部に露出しない。このため、水抜き孔２３ａから外部から水が内部に侵入することを防ぐことができる。
【００２５】
本発明の実施形態によれば、ケース１０とカバー２０の係合位置において、水抜き孔２３ａが開放状態で係合される第１係合位置と、水抜き孔２３ａが閉塞状態で係合される第２係合位置とを設けることによって、水抜き構造を有する仕様と防水構造を有する仕様を１つの筐体で実現できた。
【００２６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。尚、カバー２０に設けられた突起２１ａ、突起２２ａ〜２２ｄが係合部に相当し、ケース１０に設けられた第２切り欠き部１１ａ、第１切り欠き部１１ｂ、１２ａ〜１２ｄが被係合部に相当する。
【符号の説明】
【００２７】
１  警報装置
１０  ケース（第１ケース）
１０ａ  基部
１１ａ  第２切り欠き部
１１ｂ  第１切り欠き部
１２ａ、１２ｂ  切り欠き部
１３  レンズ用開口
１５  周壁
２０  カバー（第２ケース）
２１ａ  突起
２２ａ〜２２ｄ  突起
２３ａ  水抜き孔
２４  皿部
２５ａ、２５ｂ  排水溝
３０  ベース部材
３１  係合溝
４１  レンズ
【図１】
0006515506.tif 000002
【図２】
0006515506.tif 000003
【図３】
0006515506.tif 000004
【図４】
0006515506.tif 000005
【図５】
0006515506.tif 000006
【図６】
0006515506.tif 000007
【図７】
0006515506.tif 000008
【図８】
0006515506.tif 000009